(57)【特許請求の範囲】
【請求項１】
外側本体部と内側本体部とが縫合された本体部と、
前記本体部の角近傍において、前記本体部の内面との間に隙間を生むように、前記本体部の上辺と左右いずれかの辺との間にと延びた留め帯部材と、を有し、
前記本体部は中央で折り曲げることで、第１部分と第２部分を重ねることができ、前記留め帯部材は、前記第１部分又は前記第２部分のいずれかの角近傍に設けられ、当該留め帯部材が設けられていない前記第１部分又は前記第２部分のいずれかの角を前記隙間に挿入することで二つ折り状態となり、
前記留め帯部材が設けられている前記第１部分又は前記第２部分のいずれかの上方の角には凹部が設けられており、前記留め帯部材が設けられていない前記第１部分又は前記第２部分のいずれかの上方の角には凸部が設けられており、
前記二つ折り状態のときには、前記凸部が前記凹部の中に納まり、前記留め帯部材による当該状態が維持される
財布。
【請求項２】
前記凸部及び凹部は、扇型形状であり、前記凹部の半径は、前記凸部の半径以上である
請求項１に記載の財布。
【請求項３】
前記本体部の前記留め帯部材が設けられた前記第１部分又は前記第２部分の内面には小銭収容部が設けられており、
前記小銭収容部が設けられていない前記第１部分又は前記第２部分の内面にはカード収容部が設けられており、
前記カード収容部は、前記二つ折りの折り返し位置より所定長の領域を開けて形成されており、前記二つ折りの際には、前記小銭収容部の収容された小銭による膨らみが、前記所定長の領域に収まる
請求項１又は請求項２に記載の財布。
【発明の詳細な説明】
【技術分野】
【０００１】
本発明は、小型且つ薄型の財布に関する。
【背景技術】
【０００２】
従来、多種多様なデザインの財布が市場にて提供されている。そのような中で、財布については、小型、薄型、軽量化に対する需要者のニーズも高い。特に、昨今における電子マネーの浸透、キャッシュレス化の推進という社会的な流れの中では、このような小型且つ薄型の財布の実現に対するニーズは益々高まっている。
【０００３】
ここで、例えば、特許文献１では、硬貨、紙幣、カードの収納が可能な二つ折りの財布が開示されている。同財布では、材料シートにおける硬貨収納部相当部における紙幣収納部相当部との境界部、硬貨収納部相当部の中央部それぞれで内側に折り込み、上下端縁部分を紙幣収納部相当部の片側半分の縁部に重ね合わせて縫着若しくは接着して硬貨収納部相当部の中央部を自由に持ち上げられる不縫着部とする硬貨収納部を形成している。さらに、材料シートにおけるカード収納部相当部における紙幣収納部相当部との境界部、カード収納部相当部の中央部それぞれで内側に折り込み、上下端縁部分を前記紙幣収納部相当部の他側半分の縁部に重ね合わせて縫着若しくは接着してカード収納部相当部の中央部を自由に持ち上げられる不縫着部とするカード収納部を形成している。
【先行技術文献】
【特許文献】
【０００４】
【特許文献１】実用新案登録第３２０１８６２号公報
【発明の概要】
【発明が解決しようとする課題】
【０００５】
しかしながら、特許文献１に開示された技術では、二つ折り財布の内側に、折りたたんだときに対向する位置関係で、カード収納部と硬貨収納部を設けており、それらが紙幣収納部の紙幣を支える構成であり、さらに、雄ホックと雌ホックを嵌め合わせることで、閉じた状態を維持する構成であることから、更に薄型化できる余地がある。
【０００６】
本発明は、このような課題に鑑みてなされたものであり、その目的とするところは、小型且つ薄型で、操作性が良好な財布を提供することにある。
【課題を解決するための手段】
【０００７】
上記課題を解決するため、本発明の一つの態様に係る財布は、外側本体部と内側本体部とが縫合された本体部と、前記本体部の角近傍において、前記本体部の内面との間に隙間を生むように、前記本体部の上辺と左右いずれかの辺との間にと延びた留め帯部材と、を有し、前記本体部は中央で折り曲げることで、第１部分と第２部分を重ねることができ、前記留め帯部材は、前記第１部分又は前記第２部分のいずれかの角近傍に設けられ、当該留め帯部材が設けられていない前記第１部分又は前記第２部分のいずれかの角を前記隙間に挿入することで二つ折り状態となり、前記留め帯部材が設けられている前記第１部分又は前記第２部分のいずれかの上方の角には凹部が設けられており、前記留め帯部材が設けられていない前記第１部分又は前記第２部分のいずれかの上方の角には凸部が設けられており、前記二つ折り状態のときには、前記凸部が前記凹部の中に納まり、前記留め帯部材による当該状態が維持される。
【０００８】
ここで、前記凸部及び凹部は、扇型形状であり、前記凹部の半径は、前記凸部の半径以上であってよい。さらに、前記本体部の前記留め帯部材が設けられた前記第１部分又は前記第２部分の内面には小銭収容部が設けられており、前記小銭収容部が設けられていない前記第１部分又は前記第２部分の内面にはカード収容部が設けられており、前記カード収容部は、前記二つ折りの折り返し位置より所定長の領域を開けて形成されており、前記二つ折りの際には、前記小銭収容部の収容された小銭による膨らみが、前記所定長の領域に収まるようにしてよい。
【発明の効果】
【０００９】
本発明によれば、小型且つ薄型で、操作性が良好な財布を提供することができる。
【図面の簡単な説明】
【００１０】
【図１】本発明の第１実施形態に係る財布を開いた状態を内側から見た図である。
【図２】同財布を閉じた状態を背面から見た図である。
【図３】同財布を閉じた状態を正面から見た図である。
【図４】スライドロック構造について説明する図である。
【図５】小銭収容部の膨らみを、カード収容部のサイドに形成された空間が吸収している様子を示す図である。
【図６】本発明の第２実施形態に係る財布の構成を示す図である。
【発明を実施するための形態】
【００１１】
以下、図面を参照しつつ本発明の実施形態について説明する。
【００１２】
＜第１実施形態＞
【００１３】
先ず、図１には、本発明の一実施形態に係る財布を開いた状態を内側から見た斜視図を示し、図２には同財布を閉じた状態を背面から見た斜視図を示し、図３には同財布を閉じた状態を正面から見た斜視図を示し、説明する。尚、以下に説明する構成は、左手持ち（右利き）に最適化された構成となっている。左右対称に左右の構成を取り換えることで右手持ち（左利き）に最適化することも可能である。
【００１４】
これらの図に示されるように、財布１は、外側本体部２と内側本体部３とを備え、これらを、重ね合わせ、左右と下の外縁から所定長さ（この例では、２．５ｍｍ）のところだけを直線状に縫合することで一体化し、本体部となる。この外側本体部２と内側本体部３の間が札収容部となる。外側本体部２、内側本体部３は、革で構成されている。外側本体部２の右平面２Ａと内側本体部３の左平面３Ａとが縫合された部分を財布１の右部分（第１部分ともいう）、外側本体部２の左部分２Ｂと内側本体部３の右平面３Ｂが縫合された部分を財布１の左部分（第２部分ともいう）という。内側本体部３の左平面３Ａの上部は、収容されたカードを取り出しやすいように、切欠き部３Ｃが設けられている。
【００１５】
内側本体部３の右平面３Ｂの上部略中央には、留め帯部材（ストラップともいう）１０の一端が固定されている。この留め帯部材１０は、固定端から屈曲部１０ａ、直線部１０ｂ、屈曲部１０ｃ、直線部１０ｄと続いており、直線部１０ｄの末端では、ボタン１０ｅが外側本体部２の左平面２Ｂの不図示のボタンに嵌合し固定される。
【００１６】
この留め帯部材１０では、直線部１０ｂと直線部１０ｄの間に屈曲部１０ｃが介在しているが、屈曲部１０ｃは、留め帯部材１０を、外側本体部２の右平面２Ａ側から左平面２Ｂへ側と折り返す役割を担う。この作用により、留め帯部材１０の直線部１０ｂは、外側本体部２の右平面２Ａの右肩部に、約４５度の傾斜角で、上辺から右辺へと延びる。このとき、留め帯部材１０は、リング状となるので、財布１の右部分を、左部分に重ねるように右部分の上方の角を差し込むことで、財布１を二つ折りにした状態が維持される。留め帯部材１０は、補強テープを革で表裏面より挟持した構成である。
【００１７】
財布１の内側本体部３の左平面３Ａには、折り畳み位置Ｃから所定長あけて、領域Ｘだけスペースを開けて、カード収容部４が形成されている。カード収容部４の下方の左右の角は、切欠き部４ａ，４ｂとなっており、収容されたカード等を指で押して出しやすい構成としている。内側本体部３の右平面３Ｂには、小銭収容部５が形成されている。
【００１８】
内側本体部３の左平面３Ａの左上、カード収容部４の左角には、略扇形状の凸部８が縫合により固定されている。一方、小銭収容部５の右角は、切り欠かれており、略扇形状の凹部９が形成されている。この凹部９の半径は、凸部８の半径と同じか、もしくは大きい関係にあるので、折りたたんだ際には、凹部９に凸部８が完全に収容されることになる。
【００１９】
そして、特に特徴的なのは、凸部８と凹部９とが、スライドロック構造を実現している点である。即ち、前述したように、凸部８も凹部９も略扇形状となっているが、凸部８の半径が、凹部９の半径と同じか小さい関係となっている。従って、図４の断面図に示されるように、財布１を二つ折りにした際には、凸部８が凹部９の中に完全に収まり、留め帯部材１０の直線部１０ｂで外側本体部２の右平面２Ａが押圧され、右部分と左部分が対向する状態が維持されるので、財布１は、二つ折りの状態にロックされる。
【００２０】
ロックを解除する際には、財布１の左部分の下方の角を少し持上げるようにすれば、凸部８と凹部９とのロックを簡易に解除し、財布１を二つ折りの状態から、見開きの状態とすることができる。このように、凸部８と凹部９の大小関係と、留め帯部材１０の押圧力により、スライド操作により簡易にロック状態の設定／解除が可能となる。
【００２１】
小銭収容部５は、左上の角近傍から右下の角近傍まで略対角線上に、開口部６が形成されており、当該開口部６に、縫合によりファスナー部７が固定されている。開口部６は約４５度で傾斜しており、制約された領域の中で最大のファスナー長を取ることができるので、小銭の収納も簡易に行うことが可能となる。尚、開口部６が広いので、小銭収納部５には、各種鍵等を収納することも容易である。
【００２２】
小銭収容部５の左端は、端を折り返して縫合することで、内部空間に余裕を持たせている。また、左端の上下、所定長は、あえて縫合をしないことで、上記内部空間に収容された小銭が収まるように工夫している。即ち、財布１を２つ折りにした際には、折返し位置Ｃが下方となるように、ポケット等に収容するのが一般的であるが、その際に、小銭収容部５の内部に収容された小銭は、重力により、折返し位置Ｃから所定幅の領域Ｙに溜まることが多い。財布１を折り畳んだときにこの領域Ｙに対向する内側平面部３の左平面３Ａの領域Ｘには、カード収容部４は及んでおらず、高さのないフラットな平面となっているので、小銭収容部５の領域Ｙに溜まった小銭の膨らみは、領域Ｘで吸収され、全体として折りたたんだ状態が薄型化されることになる。
【００２３】
その様子は、図５に詳細に示されており、カード収容部４の下方に形成される空間、即ち凹部には、小銭収容部５の内部の小銭の膨らみが収まって、全体として折りたたみ易くなっており、小型、薄型化されているのが分かる。
【００２４】
なお、凸部８と凹部９は、前述した略扇型形状には限定されず、三角形、四角形など各種の形状を採用することができる。その場合、凸部８の大きさは、凹部９の大きさよりも小さい関係となる。換言すれば、凹部９は、凸部８をその内部に収めることができるように、両者のサイズが定められる。
【００２５】
＜第２実施形態＞
【００２６】
図６（ａ）には、本発明の第２実施形態に係る財布を開いた状態を内側から見た平面図を示し、図６（ｂ）には、同財布の断面図を示し、説明する。尚、以下に説明する構成は、左手持ち（右利き）に最適化された構成となっている。左右対称に左右の構成を取り換えることで右手持ち（左利き）に最適化することも可能である。
【００２７】
これらの図に示されるように、本発明の第２実施形態に係る財布１１は、二つ折りする長財布である。財布１１は、下部分（第１部分ともいう）１５Ａと上部分（第２部分ともいう）１５Ｂからなり、上下の中央部で二つ折りとなる。下部分１５Ａの左下角には、略扇形状の凸部１２が形成されており、上部分１５Ｂの左上角には、略扇形状の凹部１３が形成されている。そして、上部分１５Ｂの左角には、上辺から左辺へと下方に向けて傾斜するように、留め帯部材１４が形成されている。
【００２８】
この例でも、凸部１２と凹部１３とが、スライドロック構造を実現している。即ち、凸部１２も凹部１３も略扇形状となっているが、凸部１２の半径が、凹部１３の半径と同じか小さい関係となっている。従って、図５（ｂ）の断面図に示されるように、財布１１を二つ折りにした際には、凸部１２が凹部１３の中に完全に収まり、留め帯部材１４の直線部で下部分１５Ａの表面が押圧され、上部分１５Ｂと下部分１５Ａとが対向する状態が維持されるので、財布１１は、二つ折りの状態にロックされる。
【００２９】
ロックを解除する際には、財布１１の下部分１５Ａの右角を少し持上げれば、凸部１２と凹部１３とのロックを簡易に解除し、財布１１を二つ折りの状態から、見開きの状態とすることができる。このように、凸部１２と凹部１３の大小関係と、留め帯部材１４の押圧力により、スライド操作により簡易にロック状態の設定／解除が可能となる。
【００３０】
以上説明したように、本発明の実施形態によれば、小型且つ薄型で、操作性が良好な財布を提供することができる。
【００３１】
本発明の実施形態に係る財布は、キャッシュレス化が社会的に浸透する中、必要十分な数のカードを保有でき、全体として小型、薄型化され、携帯性にも優れている。
【００３２】
以上、本発明の実施形態について説明したが、本発明はこれに限定されることなくその趣旨を逸脱しない範囲で種々の改良・変更が可能であることは勿論である。
【符号の説明】
【００３３】
１…財布
２…外側本体部
３…内側本体部
４…カード収容部
５…小銭収容部
６…開口部
７…ファスナー部材
８…凸部
９…凹部
１０…留め帯部材。
【要約】
【課題】小型且つ薄型で、操作性が良好な財布を提供する。
【解決手段】本発明は、外側本体部２と内側本体部３とが縫合された本体部と、本体部の角近傍において、本体部の内面との間に隙間を生むように、前記本体部の上辺と左右いずれかの辺との間にと延びた留め帯部材１０とを有し、本体部は中央で折り曲げることで第１部分と第２部分を重ねることができ、留め帯部材１０は、第１部分又は前記第２部分の角近傍に設けられ、他方の第１部分又は第２部分の角を前記隙間に挿入することで二つ折り状態となり、第１部分又は第２部分の上方の角には凹部９が設けられており、留め帯部材が設けられていない第１部分又は第２部分の上方の角には凸部８が設けられており、二つ折り状態のときには、凸部８が凹部９の中に納まり、留め帯部材１０による当該状態が維持される財布である。
【選択図】図１【図１】
0006868918.tif 000002
【図２】
0006868918.tif 000003
【図３】
0006868918.tif 000004
【図４】
0006868918.tif 000005
【図５】
0006868918.tif 000006
【図６】
0006868918.tif 000007